(57)【要約】【課題】孔版印刷の製版において、画像の劣化が少なく、製版速度の高速化を図る。【解決手段】孔版原紙Ｍを移動させつつ、サーマルヘッド２で加熱することにより、走査ライン毎にこの走査ラインの黒白情報ＢＷに基づいて孔版原紙Ｍを穿孔する孔版印刷の製版装置１であって、前走査ラインでの白情報が現走査ラインでは黒情報になっているか否かを判定し、前走査ラインでの白情報が現走査ラインでは黒情報になっている割合が所定割合以下である場合、前走査ラインでの白情報が現走査ラインでは黒情報になっている割合が所定割合より大である場合よりも、サーマルヘッド２の加熱周期ＨＣを短くするとともに、孔版原紙Ｍの移動速度を速くする。【選択図】図１
2010284835.tif 000002
【特許請求の範囲】
【請求項１】
孔版原紙を移動させつつ、サーマルヘッドで加熱することにより、走査ライン毎に該走査ラインの黒白情報に基づいて前記孔版原紙を穿孔する孔版印刷の製版装置であって、
前走査ラインでの白情報が現走査ラインでは黒情報になっているか否かを判定する判定部と、
前記サーマルヘッドの加熱および前記孔版原紙の移動を制御する制御部とを備え、
該制御部が、前記判定部が前走査ラインでの白情報が現走査ラインでは黒情報になっている割合が所定割合以下であると判定した場合、前記判定部が前走査ラインでの白情報が現走査ラインでは黒情報になっている割合が前記所定割合より大である場合よりも、前記サーマルヘッドの加熱周期を短くするとともに、前記孔版原紙の移動速度を速くするものであることを特徴とする孔版印刷の製版装置。
【請求項２】
前記制御部が、前記判定部が前走査ラインでの白情報が現走査ラインでは黒情報になっている割合が所定割合以下であると判定した場合、前記判定部が前走査ラインでの白情報が現走査ラインでは黒情報になっている割合が前記所定割合より大である場合よりも、前記サーマルヘッドの加熱時間をも短くするものであることを特徴とする請求項１に記載の孔版印刷の製版装置。
【請求項３】
前記制御部が、加熱指令を複数回送信することで前記サーマルヘッドの加熱時間を制御するものであって、前記送信の回数を減らすことにより、前記加熱時間を短くするものであることを特徴とする請求項２に記載の孔版印刷の製版装置。
【請求項４】
前記サーマルヘッドが、前記走査ラインの方向に並んだ複数の発熱ブロックで構成され、前記制御部が、各発熱ブロックを所定のタイミングで順次加熱するものであることを特徴とする請求項１〜３のいずれか１項に記載の孔版印刷の製版装置。
【請求項５】
前記制御部が、前記各発熱ブロックの加熱期間同士が重複する際の重複時における前記各発熱ブロックの加熱電力の総和が所定値以下であって、且つ前記判定部が前走査ラインでの白情報が現走査ラインでは黒情報になっている割合が所定割合以下であると判定した場合に、前記判定部が前走査ラインでの白情報が現走査ラインでは黒情報になっている割合が前記所定割合より大である場合よりも前記サーマルヘッドの加熱周期を短くするとともに、前記孔版原紙の移動速度を速くするものであることを特徴とする請求項４に記載の孔版印刷の製版装置。
【請求項６】
前記制御部が、前記制御部に画像情報を入力させる外部入力装置の種類に応じて、前記所定割合を変更できることを特徴とする請求項１〜５のいずれか１項に記載の孔版印刷の製版装置。
【請求項７】
孔版原紙を移動させつつ、サーマルヘッドで加熱することにより、走査ライン毎に該走査ラインの黒白情報に基づいて前記孔版原紙を穿孔する孔版印刷の製版方法であって、
前走査ラインでの白情報が現走査ラインでは黒情報になっているか否かを判定し、
前記前走査ラインでの白情報が前記現走査ラインでは黒情報になっている割合が所定割合以下である場合、前記前走査ラインでの白情報が前記現走査ラインでは黒情報になっている割合が前記所定割合より大である場合よりも、前記サーマルヘッドの加熱時間を短くするとともに、前記孔版原紙の移動速度を速くすることを特徴とする孔版印刷の製版方法。
【発明の詳細な説明】
【技術分野】
【０００１】
本発明は、孔版印刷の製版装置および製版方法に関する。より詳しくは、孔版原紙を移動させつつ、サーマルヘッドで加熱することにより、走査ライン毎の黒白情報に基づいて孔版原紙を穿孔する孔版印刷の製版装置および製版方法に関する。
【背景技術】
【０００２】
孔版印刷機には、孔版原紙を移動させつつ、サーマルヘッドで孔版原紙を加熱することにより、走査ライン毎の黒白情報に基づいて穿孔する製版装置が用いられる。この製版装置においては、従来から製版速度を高速化させたいという要望が存在する。
【０００３】
製版速度を高速化させるために、孔版原紙の移動速度を高速にし、前走査ラインでの加熱開始から現走査ラインでの加熱開始までの時間（以下、「加熱周期」という。）を短くして製版すると、走査ラインでの加熱する時間（以下、「加熱時間」という。）が低速時と同一である場合には、前走査ラインでの加熱終了後から現走査ラインでの加熱開始までの時間（以下、「放熱時間」という。）が短くなり、サーマルヘッドが十分に放熱されないため、サーマルヘッドの耐久性が悪化する虞や、穿孔が肥大化する虞がある。
【０００４】
また、孔版原紙の移動速度を高速にし、加熱周期を短くするとともに、一律に加熱時間を短くすると、原稿中の孤立部分を穿孔する場合に、十分にサーマルヘッドを加熱できず、穿孔が縮小または非穿孔になる虞がある。ここで、「孤立部分」とは、副走査方向の他の穿孔と１つ以上の非穿孔を挟んで穿孔される部分を意味する。
【０００５】
特許文献１には、現走査ラインが、前走査ラインでは非穿孔、現走査ラインでは穿孔する画素、いわゆるエッジ部分を含む場合には、孔版原紙の移動速度を低速化させて副走査方向に小間隔の高解像度で穿孔し、現走査ラインがエッジ部分を含まない場合には、孔版原紙の移動速度を高速化させて副走査方向に大間隔の低解像度で穿孔することにより、製版時間を短縮化させる技術が開示されている。
【０００６】
特許文献２には、ユーザーが高速製版モードを選択した場合には、孔版原紙の移動速度を高速化させるとともに、サーマルヘッドの加熱時間を増加することにより、図７に示すように孔版原紙を２走査ライン毎に穿孔することで製版速度を高速化させる技術が提案されている。ここで、「２走査ライン毎に穿孔する」とは、副走査方向に連続する２つの穿孔を１つの穿孔で形成することを意味する。
【先行技術文献】
【特許文献】
【０００７】
【特許文献１】特開２０００−２５５０２１
【特許文献２】特開２００８−１１４５３８
【発明の概要】
【発明が解決しようとする課題】
【０００８】
しかしながら、特許文献１に開示されている技術では、エッジ部分を含まない走査ラインは低解像度で穿孔され、エッジ部分を含む走査ラインは高解像度で穿孔されるため、高解像度による印刷部分と低解像度による印刷部分との境界に濃度差や、スジ等が発生し、画像の劣化が生じる虞がある。また、原稿に塵等が付着することによって微小なエッジ部分が含まれる場合に、この微小なエッジ部分を高解像度で穿孔するため、製版速度を十分に高速化できない虞がある。
【０００９】
また、特許文献２に開示されている技術では、ユーザーが高速製版モードを選択した場合には、全穿孔が２走査ライン毎の副走査方向に拡大した穿孔となるため、一律に高速化することが可能となるが、解像度の低下により画像の劣化が生じる虞がある。
【００１０】
本発明の目的は、上記事情に鑑み、孔版印刷された画像の劣化が少なく、製版速度の高速化を実現する孔版印刷の製版装置および製版方法を提供する。
【課題を解決するための手段】
【００１１】
上記の課題を解決するために、本発明の孔版印刷の製版装置は、孔版原紙を移動させつつ、サーマルヘッドで加熱することにより、走査ライン毎にこの走査ラインの黒白情報に基づいて孔版原紙を穿孔する孔版印刷の製版装置であって、前走査ラインでの白情報が現走査ラインでは黒情報になっているか否かを判定する判定部と、サーマルヘッドの加熱および孔版原紙の移動を制御する制御部とを備え、この制御部が、判定部が前走査ラインでの白情報が現走査ラインでは黒情報になっている割合が所定割合以下であると判定した場合、判定部が前走査ラインでの白情報が現走査ラインでは黒情報になっている割合が所定割合より大である場合よりも、サーマルヘッドの加熱周期を短くするとともに、孔版原紙の移動速度を速くするものであることを特徴とする。
【００１２】
ここで、「黒白情報」とは、走査ライン上の各画素が穿孔されるか否かを示す情報であり、黒情報の場合に各画素は穿孔され、白情報の場合に各画素は非穿孔となる。上記「前走査ライン」とは、直前に穿孔された走査ラインを意味する。上記「現走査ライン」とは、これから穿孔しようとする走査ラインまたは現在穿孔中の走査ラインを意味であり、「前走査ライン」より副走査方向に一つ進んだ走査ラインを意味する。
【００１３】
上記「前走査ラインでの白情報が現走査ラインでは黒情報になっている割合」とは、１走査ラインの総画素数に対する前走査ラインでは白情報であり、現走査ラインでは黒情報に変化している画素数の割合を意味する。上記「所定割合」は、上記「前走査ラインでの白情報が現走査ラインでは黒情報になっている割合」の閾値であり、具体的に、５パーセント程度、望ましくは３パーセント程度、より望ましくは１パーセント程度である。上記「加熱周期」とは、サーマルヘッドの加熱開始から次の加熱開始までの時間を意味する。
【００１４】
また、本発明の孔版印刷の製版装置は、制御部が、判定部が前走査ラインでの白情報が現走査ラインでは黒情報になっている割合が所定割合以下であると判定した場合、判定部が前走査ラインでの白情報が現走査ラインでは黒情報になっている割合が所定割合より大である場合よりも、サーマルヘッドの加熱時間をも短くするものであってもよい。ここで、「加熱時間」とは、サーマルヘッドが加熱されている時間を意味する。
【００１５】
また、本発明の孔版印刷の製版装置は、制御部が、加熱指令を複数回送信することでサーマルヘッドの加熱時間を制御するものであって、送信の回数を減らすことにより、加熱時間を短くするものであってもよい。ここで、「加熱指令」とは、サーマルヘッドの加熱を命令するデータを意味する。
【００１６】
また、本発明の孔版印刷の製版装置は、サーマルヘッドが走査ラインの方向に並んだ複数の発熱ブロックで構成され、制御部が、各発熱ブロックを所定のタイミングで順次加熱するものであってもよい。
【００１７】
また、本発明の孔版印刷の製版装置は、制御部が、各発熱ブロックの加熱期間同士が重複する際の重複時における各発熱ブロックの加熱電力の総和が所定値以下であって、且つ判定部が前走査ラインでの白情報が現走査ラインでは黒情報になっている割合が所定割合以下であると判定した場合に、判定部が前走査ラインでの白情報が現走査ラインでは黒情報になっている割合が所定割合より大である場合よりもサーマルヘッドの加熱周期を短くするとともに、孔版原紙の移動速度を速くするものであってもよい。
【００１８】
ここで、「加熱期間」とは、各発熱ブロックの加熱時間帯を意味する。上記「加熱期間同士が重複」とは、各発熱ブロックの加熱時間帯の一部が重複している状態を意味する。上記「加熱電力の総和」とは、加熱期間中の各発熱ブロックを加熱するのに必要な加熱電力の合計を意味する。
【００１９】
また、本発明の孔版印刷の製版装置は、制御部が、制御部に画像情報を入力させる外部入力装置の種類に応じて、所定割合を変更できるものであってもよい。
【００２０】
ここで、「画像情報」とは、原稿のデジタルデータを意味する。上記「外部入力装置」は、画像情報を制御部に入力させるものであれば、特に限定されない。具体的に、外部入力装置は、ＰＣやスキャナ等である。
【００２１】
本発明の孔版印刷の製版方法は、孔版原紙を移動させつつ、サーマルヘッドで加熱することにより、走査ライン毎にこの走査ラインの黒白情報に基づいて孔版原紙を穿孔する孔版印刷の製版方法であって、前走査ラインでの白情報が現走査ラインでは黒情報になっているか否かを判定し、前走査ラインでの白情報が現走査ラインでは黒情報になっている割合が所定割合以下である場合、前走査ラインでの白情報が現走査ラインでは黒情報になっていない割合が所定割合より大である場合よりも、サーマルヘッドの加熱周期を短くするとともに、孔版原紙の移動速度を速くすることを特徴とする。
【発明の効果】
【００２２】
本発明の孔版印刷の製版装置および製版方法によれば、所定割合を小さく設定して前走査ラインでの白情報が現走査ラインでは黒情報になっているか否かを判定し、前走査ラインでの白情報が現走査ラインでは黒情報になっている割合が所定割合以下である場合、前走査ラインでの白情報が現走査ラインでは黒情報になっている割合が所定割合より大である場合よりも、サーマルヘッドの加熱周期を短くするとともに、孔版原紙の移動速度を速くするため、エッジ部分が少ない場合は高速化し、エッジ部分が多い場合に低速化するように上記所定割合を設定することにより、効率的に高速化が実現できる。
【００２３】
また、高速化した場合であっても、前走査ラインでの白情報は、現走査ラインでも殆どが白情報であり、穿孔する必要がなく高速化による画像の劣化が少ない。また、前走査ラインでの黒情報が現走査ラインでも黒情報であった場合も、前走査ラインでの加熱を有効に利用して１走査ライン毎に穿孔するため、高速化した場合であっても解像度が低下することなく、画像の劣化が少ない。なお、前走査ラインでの黒情報が現走査ラインでは白情報であった場合は、穿孔する必要がないため、言うまでもなく高速化による画像の劣化が少ない。
【００２４】
さらに、孔版原紙は、前述の通り、常に１走査ライン毎に穿孔されるため、低速で製版された印刷部分と高速で製版された印刷部分との解像度が同一あり、その境界に濃度差や、スジ等が発生しないため、画像の劣化が少ない。
したがって、本発明の孔版印刷の製版装置および製版方法は、画像の劣化を少なく、製版速度の高速化を実現できる。
【図面の簡単な説明】
【００２５】
【図１】孔版印刷の製版装置の概略構成図
【図２】サーマルヘッドの概略構成図
【図３】１走査ライン分のタイミングチャート
【図４】１画素分の加熱データの構成図
【図５】黒白情報を示す図
【図６】タイミングチャート
【図７】従来技術による穿孔状態を示す図
【発明を実施するための形態】
【００２６】
以下、本発明に係る孔版印刷の製版装置の実施形態について図面を用いて詳細に説明する。図１は、本発明の孔版印刷の製版装置の概略構成図、図２は、サーマルヘッドの概略構成図を示す。製版装置１は、図１に示す通り、孔版原紙Ｍを加熱して穿孔するサーマルヘッド２と、孔版原紙Ｍを移動させる駆動部３と、サーマルヘッド２および駆動部３を制御する制御部４とから構成される。
【００２７】
サーマルヘッド２は、孔版原紙Ｍを加熱して１走査ライン毎に穿孔するものであり、主走査方向（図中Ｙ方向）に配置されて走査ラインを構成する８０００個の発熱体２１と、各発熱体２１とその出力が接続するＮＡＮＤ回路２２、各発熱体２１を２０００個ずつに４個の発熱ブロック２３ａ〜２３ｄに分割し、この発熱ブロック２３ａ〜２３ｄに設けられたラッチ２４ａ〜２４ｄおよびシフトレジスタ２５ａ〜２５ｄとから構成される。
【００２８】
シフトレジスタ２５ａ〜２５ｄには、制御部４からのクロック信号ＣＬＫ１〜４および加熱データＤＡＴ１〜４がシリアルに入力され、このシフトレジスタ２５ａ〜２５ｄは、クロック信号ＣＬＫ１〜４に同期して加熱データＤＡＴ１〜４をパラレル化してラッチ２４ａ〜２４ｄに出力する。
【００２９】
ラッチ２４ａ〜２４ｄは、制御部４からのラッチ信号ＬＡＴ１〜４が入力されることにより、パラレル化された加熱データＤＡＴ１〜４がセットされる。このラッチ２４ａ〜２４ｄの出力は、各ＮＡＮＤ回路２２の一方に入力される。
【００３０】
各ＮＡＮＤ回路２２は、ラッチ２４ａ〜２４ｄからの加熱データＤＡＴ１〜４が入力されるとともに、制御部４からのストローブ信号ＳＴＢ１〜４がインバータを介して入力されることで各発熱体２１を加熱する。また、各発熱体２１の他端は電源電圧Ｖｄｄが印加されている。具体的に、電源電圧Ｖｄｄは２４Ｖ程度である。なお、発熱体２１は、加熱データ１〜４に後述する黒情報が設定された場合に加熱され、後述する白情報の場合には非加熱となる。
【００３１】
駆動部３は、孔版原紙Ｍを１走査ライン毎に副走査方向（図中Ｘ方向）に移動させるものであり、孔版原紙Ｍを搬送するプラテンローラ３１、このプラテンローラ３１を回転駆動させる駆動モータ３２、プラテンローラ３１と駆動モータ３２との間のギア３３から構成される。具体的に、駆動モータ３２は、ステッピングモータであり、ギア３３は、１ステップ毎に１走査ライン分、孔版原紙Ｍが副走査方向に移動させるように、ギア比が設定されている。なお、この駆動モータ３２の種類は特に限定されるものではなく、サーボモータ等であってもよい。
【００３２】
制御部４は、原稿のデジタルデータである入力された画像情報に応じて、走査ライン毎の、黒情報または白情報からなる黒白情報ＢＷを出力する画像処理手段４１、前走査ラインと現走査ラインの黒白情報に基づいて、製版速度の高速化または低速化を判定する速度判定手段４２、この判定結果に基づいて駆動モータ３２を制御するモータ制御手段４３、この判定結果および黒白情報ＢＷに基づいてサーマルヘッド２を制御するサーマルヘッド加熱手段４４とから構成されている。
【００３３】
画像処理手段４１は、入力された画像情報の濃淡に応じて、走査ライン毎の、黒情報または白情報からなる黒白情報ＢＷを速度判定手段４２およびサーマルヘッド加熱手段４４に出力する。なお、入力された画像情報に基づいて黒白情報ＢＷを出力することは公知技術であり、その説明を省略する。
【００３４】
速度判定手段４２は、走査ライン毎の黒白情報ＢＷに基づいて前走査ラインで白情報であって、１走査ライン分進んだ現画素ラインで黒情報に変化している画素数の１走査ラインの総画素数に対する割合を算出し、この割合が所定割合以下である場合に、前走査ラインで白情報であって、現走査ラインで黒情報に変化している部分（以下、エッジ部分という。）が少ないため高速と判定し、この割合が所定割合より大である場合にエッジ部分が多いため低速と判定する。
【００３５】
また、速度判定手段４２は、エッジ部分が多い場合には、モータ制御手段４３およびサーマルヘッド加熱手段４４に対して現走査ラインを低速にする低速化信号ＬＳを出力し、エッジ部分が少ない場合には、モータ制御手段４３およびサーマルヘッド加熱手段４４に対して現走査ラインを高速にする高速化信号ＨＳを出力する。
【００３６】
これにより、原稿をスキャナ等で読み込み、デジタルデータの画像情報として画像処理手段４１に入力する場合、原稿に付着した塵等による微小なエッジ部分が含まれることによって、速度判定手段４２が不用意に製版速度を低速化させることを回避できる。この場合の上記所定割合は、ある程度小さな値に設定され、具体的に、５パーセント程度、望ましくは３パーセント程度、より望ましくは１パーセント程度であることが望ましい。
【００３７】
一方、原稿をＰＣ等で作成し、デジタルデータの画像情報として画像処理手段４１に入力する場合には、前述のような原稿への塵等の付着による微小なエッジ部分は含まれず、画像情報内のエッジ部分は、高解像度で印刷する必要がある部分である。したがって、この場合の上記所定割合は、０パーセント程度の小さな値に設定することが望ましい。また、速度判定手段４２は、画像処理手段４１に画像情報を入力するスキャナやＰＣ等の外部入力装置の種類に応じて上記所定割合を変更するものであってもよい。
【００３８】
モータ制御手段４３は、速度判定手段４２からの高速化信号ＨＳが入力された場合、駆動モータ３２によって孔版原紙Ｍを副走査方向に１走査ライン分高速で移動させ、速度判定手段４２からの低速化信号ＬＳが入力された場合、駆動モータ３２によって孔版原紙Ｍを副走査方向に１走査ライン分低速で移動させる。
【００３９】
サーマルヘッド加熱手段４４は、画像処理手段４１からの黒白情報ＢＷおよび速度判定手段４２からの判定結果に基づいて、加熱データＤＡＴ１〜４、クロック信号ＣＬＫ１〜４、ラッチ信号ＬＡＴ１〜４およびストローブ信号ＳＴＢ１〜４をサーマルヘッド２に出力する。
【００４０】
各データおよび信号について説明する。図３は、１走査ライン分のタイミングチャートを示す図である。図３の上図が低速時、下図が高速時のタイミングチャートを示している。
【００４１】
加熱データＤＡＴ１〜４は、低速時には、予備加熱データＦ＿ＤＡＴ１〜４、本加熱データＣ＿ＤＡＴ１〜４および履歴加熱データＢ＿ＤＡＴ１〜４の順からなるデータとして構成され、高速時には、予備加熱データＦ＿ＤＡＴ１〜４および本加熱データＣ＿ＤＡＴ１〜４の順からなるデータとして構成される。
【００４２】
ここで、予備加熱データＦ＿ＤＡＴ１〜４、本加熱データＣ＿ＤＡＴ１〜４および履歴加熱データＢ＿ＤＡＴ１〜４は、各発熱体２１に対しての黒白情報ＢＷが連続して形成されたデータであり、具体的に、予備加熱データＦ＿ＤＡＴ１〜４、本加熱データＣ＿ＤＡＴ１〜４および履歴加熱データＢ＿ＤＡＴ１〜４は、それぞれ２０００個の連続する黒白情報ＢＷから構成される。すなわち加熱データＤＡＴ１〜４は、低速時には、６０００個の黒白情報ＢＷ、高速時には、４０００個の黒白情報ＢＷとなる。なお、加熱データＤＡＴ１〜４は、黒情報でＨｉｇｈ、白情報でＬｏｗとなる。
【００４３】
クロック信号ＣＬＫ１〜４は、前述の通り、シフトレジスタ２５ａ〜２５ｄに入力され、シフトレジスタ２５ａ〜２５ｄが加熱データＤＡＴ１〜４をパラレル化して各発熱体２１に出力するために使用される。具体的に、クロック信号ＣＬＫ１〜４は、加熱データＤＡＴ１〜４の個々のデータに対応するパルス群であり、このパルス群は、予備加熱データＦ＿ＤＡＴ１〜４、本加熱データＣ＿ＤＡＴ１〜４および履歴加熱データＢ＿ＤＡＴ１〜４に対応する８Ｍｈｚの２０００個のパルスで構成される。すなわちクロック信号ＣＬＫ１〜４は、低速時には、３つのパルス群（６０００個のパルス）、高速時には、２つのパルス群（４０００個のパルス）となる。なお、１パルス群は、１パルスあたりの周期が１２５ｎｓｅｃであるため、０．２５ｍｓｅｃの周期となる。
【００４４】
ラッチ信号ＬＡＴ１〜４は、各加熱データ１〜４をラッチ２４ａ〜２４ｄに保持させる信号であり、前述の通り、加熱データＤＡＴ１〜４をラッチ２４ａ〜２４ｄにセットするために使用される。
【００４５】
ストローブ信号ＳＴＢ１〜４は、発熱ブロック２３ａ〜２４ｄの全ての発熱体２１の加熱および非加熱を制御する信号であり、このストローブ信号ＳＴＢ１〜４がオン（Ｌｏｗ）の場合、インバータを介することによって各ＮＡＮＤ回路２２の一方の入力が全てオン（Ｈｉｇｈ）となる。
【００４６】
この時、ラッチ信号ＬＡＴ１〜４によってラッチ２４ａ〜２４ｄに黒情報（Ｈｉｇｈ）が保持されている場合、各ＮＡＮＤ回路２２の出力がオン（Ｌｏｗ）となり、発熱体２１に電源電圧Ｖｄｄから電流が供給され、発熱体２１は加熱される。一方で、白情報（Ｌｏｗ）が保持されている場合、各ＮＡＮＤ回路２２の出力がオフ（Ｈｉｇｈ）となり、発熱体２１には電源電圧Ｖｄｄから電流が供給されず、発熱体２１は非加熱となる。
【００４７】
また、ストローブ信号ＳＴＢ１〜４がオフ（Ｈｉｇｈ）の場合、インバータを介して各ＮＡＮＤ回路２２の一方の入力が全てオフ（Ｌｏｗ）となり、全てのＮＡＮＤ回路２２の出力がオフ（Ｈｉｇｈ）となるため、発熱ブロック２３ａ〜２３ｄの全ての発熱体２１が非加熱となる。
【００４８】
次に、加熱データＤＡＴ１〜４の構成について説明する。図４は、１画素分の加熱データＤＡＴ１〜４の構成図である。図４に示す通り、低速時の加熱データＤＡＴ１〜４は、現画素ラインが白情報の画素に対しては、本加熱データＣ＿ＤＡＴ１〜４および履歴加熱データＢ＿ＤＡＴ１〜４のいずれも白情報で出力し、予備加熱データＦ＿ＤＡＴ１〜４は、前画素ラインが黒情報の場合に白情報、前画素ラインが白情報且つ次画素ラインが黒情報の場合に黒情報および前画素ラインが白情報且つ次画素ラインが白情報の場合に白情報を出力する。
【００４９】
また、低速時の加熱データＤＡＴ１〜４は、現画素ラインが黒情報の画素に対しては、予備加熱データＦ＿ＤＡＴ１〜４および本加熱データＣ＿ＤＡＴ１〜４のいずれも黒情報で出力し、履歴加熱データＢ＿ＤＡＴ１〜４は、前画素ラインが黒情報の場合に白情報、前画素ラインが白情報の場合に黒情報を出力する。
【００５０】
高速時の加熱データＤＡＴ１〜４は、現画素ラインが白情報の画素に対しては、本加熱データＣ＿ＤＡＴ１〜４を白情報で出力し、予備加熱データＦ＿ＤＡＴ１〜４は、前画素ラインが黒情報の場合に白情報、前画素ラインが白情報且つ次画素ラインが黒情報の場合に黒情報および前画素ラインが白情報且つ次画素ラインが白情報の場合に白情報を出力する。
【００５１】
また、高速時の加熱データＤＡＴ１〜４は、現画素ラインが黒情報の画素に対しては、予備加熱データＦ＿ＤＡＴ１〜４および本加熱データＣ＿ＤＡＴ１〜４のいずれも黒情報で出力する。また、高速時にはエッジ部分が殆ど含まれないため、現画素ラインが黒情報の場合、殆どの前画素ラインは黒情報となる。なお、不図示の所定割合以下のエッジ部分の場合も予備加熱データＦ＿ＤＡＴ１〜４および本加熱データＣ＿ＤＡＴ１〜４のいずれも黒情報で出力する。
【００５２】
次に、製版装置１の製版方法について説明する。図５は、入力された画像情報に基づく黒白情報ＢＷの一部を示す図、図６は、タイミングチャートを示す。また、図５において、エッジ部分は破線で囲んでいる。すなわち走査ライン５〜６には、エッジ部分が存在しない。また、図６のタイミングチャートは、走査ライン４〜６の穿孔時のタイミングチャートを示している。
【００５３】
速度判定手段４２は、走査ライン２〜４には、エッジ部分が多いため低速と判定し、走査ライン２〜４行目の穿孔時には、低速化信号ＬＳを出力する。なお、図５は理解を容易にするため、走査ラインの一部を図示するものであるが、エッジ部分は走査ラインの全部に対して所定割合を超えているものとする。
【００５４】
モータ制御手段４３は、駆動モータ３２を低速で駆動し、プラテンローラ３１によって孔版原紙Ｍを低速に移動させる。ここで、サーマルヘッド２は、図２が示す通り、発熱ブロック２３ａ〜２３ｄ毎に順次制御されるものであるが、理解を容易にするため、発熱ブロック２３ａに着目して説明する。
【００５５】
サーマルヘッド加熱手段４４は、発熱ブロック２３ａの各発熱体２１を制御するために、予備加熱データＦ＿ＤＡＴ１、本加熱データＣ＿ＤＡＴ１および履歴加熱データＢ＿ＤＡＴ１の順からなる加熱データＤＡＴ１およびクロック信号ＣＬＫ１をシフトレジスタ２５ａに出力する。
【００５６】
予備加熱データＦ＿ＤＡＴ１の出力後、サーマルヘッド加熱手段４４は、１回目のラッチ信号ＬＡＴ１を出力し、予備加熱データＦ＿ＤＡＴ１をラッチ２４ａにセットする。所定時間経過後、サーマルヘッド加熱手段４４は、ストローブ信号ＳＴＢ１をオンし、予備加熱データＦ＿ＤＡＴ１の黒白情報ＢＷに基づいて発熱ブロック２３ａの各発熱体２１の加熱を開始する。
【００５７】
次に、本加熱データＣ＿ＤＡＴ１の出力後、サーマルヘッド加熱手段４４は、２回目のラッチ信号ＬＡＴ１を出力し、本加熱データＣ＿ＤＡＴ１をラッチ２４ａにセットし、本加熱データＣ＿ＤＡＴ１の黒白情報ＢＷに基づいて発熱ブロック２３ａの各発熱体２１を加熱する。
【００５８】
次に、履歴加熱データＢ＿ＤＡＴ１の出力後、サーマルヘッド加熱手段４４は、３回目のラッチ信号ＬＡＴ１を出力し、履歴加熱データＢ＿ＤＡＴ１をラッチ２４ａにセットし、履歴加熱データＢ＿ＤＡＴ１の黒白情報ＢＷに基づいて発熱ブロック２３ａの各発熱体２１を加熱し、所定時間経過後、サーマルヘッド加熱手段４４は、ストローブ信号ＳＴＢ１をオフして発熱ブロック２３ａの各発熱体２１の加熱を終了する。
【００５９】
サーマルヘッド加熱手段４４は、発熱ブロック２３ｂ〜２３ｄの各発熱体２１を加熱するために、加熱データＤＡＴ１およびクロック信号ＣＬＫ１の出力後、所定のタイミングで加熱データＤＡＴ２〜４およびクロック信号ＣＬＫ２〜４を順次出力する。なお、発熱ブロック２３ｂ〜２３ｄの各発熱体２１の加熱方法は、発熱ブロック２３ａの加熱方法と同一であり、その説明を省略する。
【００６０】
本実施形態では、発熱ブロック２３ａ〜２３ｄの加熱時間ＨＴは、低速時には、０．５ｍｓｅｃであり、この加熱時間ＨＴのうち、最初の０．１ｍｓｅｃが予備加熱データＦ＿ＤＡＴ１〜４の黒白情報ＢＷに基づく加熱であり、次の０．２８ｍｓｅｃが本加熱データＣ＿ＤＡＴ１〜４の黒白情報ＢＷに基づく加熱であり、最後の０．１２ｍｓｅｃが履歴加熱データＢ＿ＤＡＴ１〜４の黒白情報ＢＷに基づく加熱である。また、発熱ブロック２３ａ〜２３ｄの加熱期間は重複せずに連続し、加熱周期ＨＣは、２．０ｍｓｅｃである。
【００６１】
なお、モータ制御手段４３による孔版原紙Ｍの移動と、サーマルヘッド加熱手段４４によるサーマルヘッド２の加熱は、不図示のシステムクロックにより相互に同期して制御される。
【００６２】
速度判定手段４２は、走査ライン５〜６には、エッジ部分が少ないため高速と判定し、走査ライン５〜６の穿孔時には、高速化信号ＨＳを出力する。モータ制御手段４３は、駆動モータ３２を高速で駆動し、プラテンローラ３１によって孔版原紙Ｍを高速に移動させる。なお、図５は理解を容易にするため、走査ラインの一部を図示するものであるが、エッジ部分は走査ラインの全部に対して所定割合以下であるとする。
【００６３】
サーマルヘッド加熱手段４４は、発熱ブロック２３ａの各発熱体２１を制御するために、予備加熱データＦ＿ＤＡＴ１および本加熱データＣ＿ＤＡＴ１の順からなる加熱データＤＡＴ１およびクロック信号ＣＬＫ１をシフトレジスタ２５ａに出力する。
【００６４】
予備加熱データＦ＿ＤＡＴ１の出力後、サーマルヘッド加熱手段４４は、ラッチ信号ＬＡＴ１を１回出力し、予備加熱データＦ＿ＤＡＴ１をラッチ２４ａにセットする。所定時間経過後、サーマルヘッド加熱手段４４は、ストローブ信号ＳＴＢ１をオンし、予備加熱データＦ＿ＤＡＴ１の黒白情報ＢＷに基づいて発熱ブロック２３ａの各発熱体２１の加熱を開始する。
【００６５】
次に、本加熱データＨ＿ＤＡＴ１の出力後、サーマルヘッド加熱手段４４は、２回目のラッチ信号ＬＡＴ１を出力し、本加熱データＣ＿ＤＡＴ１をラッチ２４ａにセットし、本加熱データＣ＿ＤＡＴ１の黒白情報ＢＷに基づいて発熱ブロック２３ａの各発熱体２１を加熱し、所定時間経過後、サーマルヘッド加熱手段４４は、ストローブ信号をオフして発熱ブロック２３ａの発熱体２１の加熱を終了する。
【００６６】
サーマルヘッド加熱手段４４は、発熱ブロック２３ｂ〜２３ｄの各発熱体２１を制御するために、加熱データＤＡＴ１およびクロック信号ＣＬＫ１の出力開始後、所定のタイミングで加熱データＤＡＴ２〜４およびクロック信号ＣＬＫ２〜４を順次出力する。なお、発熱ブロック２３ｂ〜２３ｄの発熱体２１の加熱方法は、発熱ブロック２３ａの制御方法と同一であり、その説明を省略する。
【００６７】
高速時では、具体的に、発熱ブロック２３ａ〜２３ｄの加熱時間ＨＴは、発熱ブロック２３ａが０．３８ｍｓｅｃ、発熱ブロック２３ｂが０．３７ｍｓｅｃ、発熱ブロック２４ｃが０．３６ｍｓｅｃおよび発熱ブロック２３ｄが０．３５ｍｓｅｃであり、この加熱時間ＨＴのうち、最初の０．１ｍｓｅｃが予備加熱データＦ＿ＤＡＴ１〜４の黒白情報ＢＷに基づく加熱であり、残りの時間が本加熱データＣ＿ＤＡＴ１〜４の黒白情報ＢＷに基づくものである。すなわち高速時には、低速時よりも加熱時間を短くすることにより発熱ブロク２３ａ〜２３ｄの放熱時間を長くすることが可能であり、サーマルヘッドの耐久性が向上する。
【００６８】
高速時に発熱ブロック２３ａ〜２３ｄの加熱時間ＨＴが異なるのは、図６に示すように、低速時から高速時に変化する場合、高速時に発熱ブロック２３ａの加熱制御が開始されるのは、低速時の加熱制御終了後、１．５ｍｓｅｃ経過後であり、発熱ブロック２３ｂは、１．２２ｍｓｅｃ経過後、発熱ブロク２３ｃは、０．９３ｍｓｅｃ経過後、発熱ブロック２３ｄは、０．６５ｍｓｅｃ経過後であり、発熱ブロック２３ｄの放熱時間が一番短いため、蓄積されている熱の影響を受けやすい。したがって、発熱ブロック２３ａ〜２３ｄの加熱時間ＨＴに若干の差を設けて調整している。
【００６９】
高速時では、加熱周期ＨＣは、発熱ブロック２３ａ〜２３ｄの加熱期間の一部同士を重複させて１．０ｍｓｅｃである。この加熱周期ＨＣは、発熱ブロック２３ａ〜２３ｄのうちの３個以上の発熱ブロックがその加熱期間の一部同士が重複しないように設定される。
【００７０】
また、速度判定手段４２は、重複して加熱される２個の発熱ブロックの発熱体２１の数が２個分の発熱ブロックの発熱体２１の合計数の５０パーセント以下の場合にのみ、高速を判定可能とし、高速化信号ＨＳを出力するものであってもよい。すなわち重複して加熱される発熱体２１の数が２０００個以下の場合にのみ、速度判定手段４２が高速と判定することにより、発熱ブロックの加熱期間の重複による総加熱電力の増加を回避できる。
【００７１】
製版装置１は、現走査ラインのエッジ部分が所定割合を超えている場合には、低速化信号ＬＳによって孔版原紙Ｍを低速で移動させつつ、加熱データＤＡＴ１〜４を予備加熱データＦ＿ＤＡＴ１〜４、本加熱データＣ＿ＤＡＴ１〜４および履歴加熱データＢ＿ＤＡＴ１〜４で構成し、加熱時間ＨＴおよび加熱周期ＨＣを長くして１走査ライン毎に穿孔する。
【００７２】
また、製版装置１は、現走査ラインにエッジ部分が所定割合以下である場合には、高速化信号ＨＳによって孔版原紙Ｍを高速で移動させつつ、加熱データＤＡＴ１〜４を予備加熱データＦ＿ＤＡＴ１〜４および本加熱データＣ＿ＤＡＴ１〜４で構成し、加熱時間ＨＴおよび加熱周期ＨＣを短くして１走査ライン毎に穿孔する。すなわち製版装置１は、低速時および高速時ともに１走査ライン毎に穿孔する。
【００７３】
本発明を適用した実験結果を以下に示す。本実験では、発熱ブロック２３ａ〜２３ｄの加熱周期ＨＣを低速時には、２．０ｍｓｅｃ程度、高速時には、１．０ｍｓｅｃ程度と設定し、孔版原紙Ｍの搬送速度を低速時には２１．２ｍｍ／ｓｅｃ程度、高速時には４２．３ｍｍ／ｓｅｃ程度として設定した。すなわち本発明を適用した場合は、低速時および高速時においても解像度は変化しない。本実験に用いた原稿は、全走査ラインの約３分の２程度の走査ラインが所定割合を超えたエッジ部分を含むものである。
【００７４】
製版時間は、原稿を全て低速で製版した場合、１９．８４ｓｅｃ程度であり、全て高速で製版した場合、製版時間は、９．９２ｓｅｃ程度となった。本発明を適用した結果、本原稿での製版時間は、１６．５４ｓｅｃ程度となり、製版時間の高速化が確認された。
【００７５】
以上述べたように、本発明の実施形態である孔版印刷の製版装置１は、所定割合を小さく設定して入力された画像情報から画像処理手段４１が走査ライン毎の黒白情報ＢＷを出力し、前走査ラインでの白情報が現走査ラインでは黒情報になっているか否かを判定し、前走査ラインでの白情報が現走査ラインでは黒情報になっている割合が所定割合以下である場合、前走査ラインでの白情報が現走査ラインでは黒情報になっている割合が所定割合より大である場合よりも、サーマルヘッドの加熱周期を短くするとともに、孔版原紙の移動速度を速くする。
【００７６】
これにより、原稿上の塵等の付着による、所定割合以下の微小なエッジ部分が含まれる場合であっても不用意に低速化することなく、一方でエッジ部分が所定割合を超えて多く含まれる場合に限り低速化することにより、効率的に高速化できる。また、高速時であっても、低速時と同様に１走査ライン毎に孔版原紙孔版原紙Ｍを穿孔するため、解像度が変化せず、画像の劣化が少ない。
【００７７】
したがって、本発明の実施形態である孔版印刷の製版装置１は、画像の劣化が少なく、高速に孔版原紙Ｍを製版することができる。
【符号の説明】
【００７８】
ＢＷ  黒白情報
ＨＣ  加熱周期
ＨＴ  加熱時間
Ｍ    孔版原紙
１    製版装置
２    サーマルヘッド
４    制御部
４２  速度判定手段
４３  モータ制御手段
４４  サーマルヘッド加熱手段
【図１】
2010284835.tif 000003
【図２】
2010284835.tif 000004
【図３】
2010284835.tif 000005
【図４】
2010284835.tif 000006
【図５】
2010284835.tif 000007
【図６】
2010284835.tif 000008
【図７】
2010284835.tif 000009